(57)【要約】【課題】輝度ムラあるいは色度ムラを抑制でき、しかも、液晶表示パネル全体の輝度を向上させることができるバックライト装置及び液晶表示装置を提供する。【解決手段】ＬＥＤ取付基板３０２に、ＬＥＤ３０４を１つずつ配置するためのＬＥＤ取付枠３０４を複数設け、このＬＥＤ取付枠３０４に、反射シート３１０をＬＥＤ３０４の発光部よりも後方となる位置に配置してＬＥＤ３０４からの光を前方へ反射させるとともに、拡散シート３２０をＬＥＤ３０４の発光部よりも前方となる位置に配置して後方から照射される光を拡散させるようにした。【選択図】図３
2011023209.tif 000002
【特許請求の範囲】
【請求項１】
複数の発光ダイオードを基板上に整列配置してなるバックライト装置において、
前記基板には、前記発光ダイオードを１つずつ配置するための配置領域が複数設けられ、
前記配置領域には、前記発光ダイオードの発光部よりも後方に配置され、前記発光ダイオードからの光を前方へ反射させるための反射部材と、前記発光ダイオードの発光部よりも前方に配置され、後方から照射される光を拡散させる拡散部材と、が取り付けられていることを特徴とするバックライト装置。
【請求項２】
前記反射部材及び前記拡散部材は、前記配置領域に対して着脱自在に構成されていることを特徴とする請求項１に記載のバックライト装置。
【請求項３】
前記反射部材及び前記拡散部材は、シート状に形成された本体部と、本体部の端部から後方へ折曲して形成される係合部とを有し、
前記配置領域には、前記係合部が係合する係合孔が設けられ、
前記係合部が係合孔に係合されて、前記反射部材及び前記拡散部材が前記配置領域に取り付けられることを特徴とする請求項１又は２に記載のバックライト装置。
【請求項４】
前記配置領域には、前記発光ダイオードの発光部よりも所定の長さ前方へ突出するボスが設けられ、
前記拡散部材は、前記配置領域に取り付けられたときに、前記本体部の背面が前記ボスに当接して、前記発光ダイオードの発光部と前記本体部とを所定間隔空けるようにしたことを特徴とする請求項３に記載のバックライト装置。
【請求項５】
前記配置領域は正六角形状により形成され、ハニカム状に整列配置されていることを特徴とする請求項１〜４の何れか一項に記載のバックライト装置。
【請求項６】
複数の発光ダイオードを基板上に整列配置してなるバックライト装置において、
前記基板には、前記発光ダイオードを１つずつ配置するための正六角形状により形成された配置領域がハニカム状に複数整列配置され、
前記配置領域には、前記発光ダイオードの発光部よりも後方に配置され、前記発光ダイオードからの光を前方へ反射させるための反射部材と、前記発光ダイオードの発光部よりも前方に配置され、後方から照射される光を拡散させる拡散部材と、が着脱自在に取り付けられ、
前記反射部材及び前記拡散部材は、シート状に形成された本体部と、本体部の端部から後方へ折曲して形成されるとともに弾性変形可能な係合部とを有し、
前記配置領域には、前記係合部が係合する係合孔が設けられ、
前記係合部を弾性変形させて係合孔に挿通させた後、前記係合部の弾性変形の復帰により、前記係合部が係合孔に係合されて、前記反射部材及び前記拡散部材が前記配置領域へ取り付けられ、
前記配置領域には、さらに、前記発光ダイオードの発光部よりも所定の長さ前方へ突出するボスが設けられ、
前記拡散部材は、前記配置領域に取り付けられたときに、前記本体部の背面が前記ボスに当接して、前記発光ダイオードの発光部と前記本体部とを所定間隔空けるようにしたことを特徴とするバックライト装置。
【請求項７】
請求項１〜６の何れか一項に記載のバックライト装置を備えたことを特徴とする液晶表示装置。
【発明の詳細な説明】
【技術分野】
【０００１】
本発明は、液晶表示装置に用いられるバックライト装置及びこのバックライト装置を備えた液晶表示装置に関する。
【背景技術】
【０００２】
近年、液晶表示装置に用いられるバックライト装置の光源として、従来の冷陰極蛍光管（ＣＣＦＬ：Cold Cathode Fluorescent Lamp）に代わって、発光ダイオード（ＬＥＤ：Light Emitting Diode）が用いられるようになっている。このようなバックライト装置を用いた液晶表示装置では、発熱量及び消費電力が抑制されるので、広く実用化されてきているが、発光ダイオードは、個々に輝度あるいは色度にばらつきがあり、そのまま用いたのでは、液晶表示装置の液晶表示パネル全面を均一に照明することが困難であるという問題があった。
【０００３】
そこで、液晶表示装置に用いられるバックライト装置の輝度むらや色度むらを抑制するものとして、例えば、発光ダイオードと拡散板との間に、拡散材が含有された感光性材料が塗布された光透過性基体を発光ダイオードに対向して配置し、発光ダイオードからの光量に応じて拡散材の密度を変化させるようにして色度むらあるいは輝度の調整を行うようにしたものがある（特許文献１）。
【先行技術文献】
【特許文献】
【０００４】
【特許文献１】特開２００６−３１００４２号公報
【発明の概要】
【発明が解決しようとする課題】
【０００５】
しかしながら、従来の液晶表示装置に用いられるバックライト装置では、色度むらあるいは輝度むらを抑制することはできるが、液晶表示装置の液晶表示パネル全体における輝度を向上させることはできない。
【０００６】
本発明の課題は、輝度ムラあるいは色度ムラを抑制でき、しかも、液晶表示パネル全体の輝度を向上させることができるバックライト装置及び液晶表示装置を提供することである。
【課題を解決するための手段】
【０００７】
以上の課題を解決するため、請求項１に記載の発明は、複数の発光ダイオードを基板上に整列配置してなるバックライト装置において、
前記基板には、前記発光ダイオードを１つずつ配置するための配置領域が複数設けられ、
前記配置領域には、前記発光ダイオードの発光部よりも後方に配置され、前記発光ダイオードからの光を前方へ反射させるための反射部材と、前記発光ダイオードの発光部よりも前方に配置され、後方から照射される光を拡散させる拡散部材と、が取り付けられていることを特徴とする。
【０００８】
請求項２に記載の発明は、請求項１に記載のバックライト装置であって、前記反射部材及び前記拡散部材は、前記配置領域に対して着脱自在に構成されていることを特徴とする。
【０００９】
請求項３に記載の発明は、請求項１又は２に記載のバックライト装置であって、前記反射部材及び前記拡散部材は、シート状に形成された本体部と、本体部の端部から後方へ折曲して形成される係合部とを有し、
前記配置領域には、前記係合部が係合する係合孔が設けられ、
前記係合部が係合孔に係合されて、前記反射部材及び前記拡散部材が前記配置領域に取り付けられることを特徴とする。
【００１０】
請求項４に記載の発明は、請求項３に記載のバックライト装置であって、前記配置領域には、前記発光ダイオードの発光部よりも所定の長さ前方へ突出するボスが設けられ、
前記拡散部材は、前記配置領域に取り付けられたときに、前記本体部の背面が前記ボスに当接して、前記発光ダイオードの発光部と前記本体部とを所定間隔空けるようにしたことを特徴とする。
【００１１】
請求項５に記載の発明は、請求項１〜４の何れか一項に記載のバックライト装置であって、前記配置領域は正六角形状により形成され、ハニカム状に整列配置されていることを特徴とする。
【００１２】
請求項６に記載の発明は、複数の発光ダイオードを基板上に整列配置してなるバックライト装置において、
前記基板には、前記発光ダイオードを１つずつ配置するための正六角形状により形成された配置領域がハニカム状に複数整列配置され、
前記配置領域には、前記発光ダイオードの発光部よりも後方に配置され、前記発光ダイオードからの光を前方へ反射させるための反射部材と、前記発光ダイオードの発光部よりも前方に配置され、後方から照射される光を拡散させる拡散部材と、が着脱自在に取り付けられ、
前記反射部材及び前記拡散部材は、シート状に形成された本体部と、本体部の端部から後方へ折曲して形成されるとともに弾性変形可能な係合部とを有し、
前記配置領域には、前記係合部が係合する係合孔が設けられ、
前記係合部を弾性変形させて係合孔に挿通させた後、前記係合部の弾性変形の復帰により、前記係合部が係合孔に係合されて、前記反射部材及び前記拡散部材が前記配置領域へ取り付けられ、
前記配置領域には、さらに、前記発光ダイオードの発光部よりも所定の長さ前方へ突出するボスが設けられ、
前記拡散部材は、前記配置領域に取り付けられたときに、前記本体部の背面が前記ボスに当接して、前記発光ダイオードの発光部と前記本体部とを所定間隔空けるようにしたことを特徴とする。
【００１３】
請求項７に記載の発明は、液晶表示装置において、請求項１〜６の何れか一項に記載のバックライト装置を備えたことを特徴とする。
【発明の効果】
【００１４】
本発明によれば、輝度ムラあるいは色度ムラを抑制でき、しかも、液晶表示パネル全体の輝度を向上させることができるバックライト装置及び液晶表示装置を提供することができる。
【図面の簡単な説明】
【００１５】
【図１】本実施形態に係る液晶表示装置の要部構成の概略を表す概略図である。
【図２】本実施形態に係るＬＥＤパネルの要部構成の概略を表す概略図である。
【図３】本実施形態に係るＬＥＤ取付基板の構造を模式的に表す模式図である。
【図４】本実施形態に係るＬＥＤ取付枠の構造を模式的に表す模式図である。
【図５】ＬＥＤ取付枠に反射シートを取り付けた状態を表す図である。
【図６】図５におけるＡ−Ａ断面を表す断面図である。
【図７】ＬＥＤ取付枠に拡散シートを取り付けた状態を表す図である。
【図８】図７におけるＢ−Ｂ断面を表す断面図である。
【図９】ＬＥＤ取付枠に反射シート及び拡散シートを取り付けた状態を表す図である。
【図１０】図９におけるＣ−Ｃ断面を表す断面図である。
【発明を実施するための形態】
【００１６】
以下、図面を参照して、この発明の実施形態について説明する。
【００１７】
図１に示すように、液晶表示装置１は、前面側から、液晶表示パネル１００、全面拡散シート２００、ＬＥＤパネル３００が奥行き方向に重合して配置されている。
液晶表示パネル１００は、背面から光が照射されることにより表示状態が視認容易となる公知の液晶表示パネルが用いられている。
全面拡散シート２００は、ＬＥＤパネル３００から照射された光が液晶表示パネル１００の全面に対して均等に光が照射されるように光を拡散させるためのシートである。
ＬＥＤパネル３００は、多数の白色発光のＬＥＤにより液晶表示パネル１００の背面より光を照射し、液晶表示パネル１００に表示された画像を視認容易にするものである。
【００１８】
次に、本実施形態のＬＥＤパネル３００の構造について詳述する。
【００１９】
図２に示すように、ＬＥＤパネル３００には、基板取付ベース３０１が備えられ、この基板取付ベース３０１上に、複数のＬＥＤ取付基板３０２が縦横それぞれ所定数ずつマトリクス状に配置されている。
そして、ＬＥＤ取付基板３０２上には、７つの正六角形状のＬＥＤ取付枠３０３がハニカム状に配置されている。より具体的には、ＬＥＤ取付基板３０２の略中央に、ＬＥＤ取付枠３０３ａが配置されるとともに、ＬＥＤ取付枠３０３ａの各辺に隣接してそれぞれＬＥＤ取付枠３０３ｂ〜３０３ｇが配置されている。
また、各ＬＥＤ取付枠３０３の中央には、白色発光するＬＥＤ３０４が設けられる。さらに、図示はしないが、基板取付ベース３０１のＬＥＤ取付基板間には、ドライバからのクロック信号線及びデータ信号線などの電極が形成される。そして、各ＬＥＤ取付基板３０２は、それぞれ、クロック信号線及びデータ信号線と接続され、両者からの電圧が印加されると、当該ＬＥＤ取付基板３０２に実装されたＬＥＤ３０４が同時に発光するように構成されている。
このように、ＬＥＤパネル３００は、複数の発光ダイオードを基板上に整列配置してなるバックライト装置を構成する。
また、ＬＥＤ取付枠３０３は、発光ダイオードを１つずつ配置するための配置領域を構成する。
【００２０】
次に、本実施形態のＬＥＤ取付基板３０２の構造について説明する。
【００２１】
ＬＥＤ取付基板３０２は、図３に示すように、正方形の薄板状に形成されており、ＬＥＤ取付基板３０２の上面には、７つのＬＥＤ取付枠３０３がＬＥＤ取付基板３０２に対してそれぞれわずかに凹状に形成されている。
そして、各ＬＥＤ取付枠３０３には、反射部材としての反射シート３１０及び拡散部材としての拡散シート３２０が取り付けられている。
【００２２】
ここで、本実施形態のＬＥＤ取付枠３０３の構造について図４〜図１０を参照しながら詳述する。
【００２３】
ＬＥＤ取付枠３０３は、図４に示すように、ＬＥＤ取付基板３０２の一部を構成し、正六角形状の凹部によって形成されている。
ＬＥＤ取付枠３０３の底部３０５には、その中央に、上方に光源である発光部３０４ａを有するＬＥＤ３０４と、ＬＥＤ３０４の上下に所定間隔空けて立設されたボス３０７と、上下端部の各辺に沿って所定長さの細長開口により形成された係合孔３０６とが設けられている。
【００２４】
そして、ＬＥＤ取付枠３０３には、それぞれ、ＬＥＤ取付枠３０３の形状に沿った形状の反射シート３１０あるいは拡散シート３２０が取り付け可能となっており、これら反射シート３１０及び拡散シート３２０によりＬＥＤ３０４の輝度あるいは色度の調整が可能となっている。
【００２５】
反射シート３１０は、シート本体部３１１と係合片３１２とを構成している。シート本体部３１１は、ＬＥＤ取付枠３０３の底面３０５と略同じ大きさの正六角形状により形成されている。係合片３１２は、シート本体部３１１の上下端部から、先端へ向けて幅広となる台形状に形成されて下方に折り曲げられ、シート本体部３１１と一体に形成されている。なお、係合片３１２の形状は、台形状に限らず、例えば、先端部分に、先端へ向けて幅狭となるくさび形状などによって形成してもよい。
この反射シート３１０は、ＰＥＴあるいはポリプロピレン（ＰＰ）などの合成樹脂により成型されており、可撓性を有している。そして、この反射シート３１０の表面には、白色印刷が施されており、光の反射を容易にしている。なお、反射シート３１０への白色印刷に代えて、白色に着色された樹脂によって反射シート３１０を成型するようにしてもよい。また、透明の反射シート３１０を予めＬＥＤ取付枠３０３に取り付け、ＬＥＤ３０４の輝度の測定結果に応じて、取り付けられた反射シート３１０のシート本体部３１１へ吹付け等により直接印刷を行うようにしてもよい。
シート本体部３１１の中央には、ＬＥＤ３０４と略同じ大きさの方形状の貫通孔３１３が形成されるとともに、その上下に所定間隔空けてボス３０７の直径と略同じ大きさの円形のボス挿通孔３１４が形成されている。
【００２６】
以上のように構成された反射シート３１０をＬＥＤ取付枠３０３に取り付けるときは、反射シート３１０の係合片３１２の左右両端を押圧して可撓させて係合片３１２を弾性変形し、その状態で、ＬＥＤ取付枠３０３の係合孔３０６へ挿通させる。係合片３１２が係合孔３０６へ挿通されると、係合片３１２の弾性変形が復帰し、係合片３１２が係合孔３０６に対して係合される。すると、反射シート３１０は位置決めされて、ＬＥＤ３０４は貫通孔３１３を貫通し、一対のボス３０７はそれぞれボス挿通孔３１４を貫通するようになる。
そして、反射シート３１０のシート本体部３１１の裏面がＬＥＤ取付枠３０３の底面３０５に接触されることにより、反射シート３１０がＬＥＤ取付枠３０３に取り付けられる。このとき、反射シート３１０は、図５及び図６に示すように、ＬＥＤ３０４の発光部３０４ａよりも後方に位置することとなり、ＬＥＤ３０４の発光部３０４ａからの光が後方へ照射されたときに、反射シート３１０によって前方へ反射させ、前方への光量が増加されるようになる。
【００２７】
一方、反射シート３１０をＬＥＤ取付枠３０３より取り外す場合は、ＬＥＤ取付基板３０２の裏面から、反射シート３１０の係合片３１２を、挿入方向とは逆の方向へ押圧すると、係合片３１２の左右端部が係合孔３０６の内周に当接し、係合片３１２の左右両辺が係合孔３０６の内周にガイドされながら係合片３１２が弾性変形する。そして、その状態でさらに係合片３１２を押圧すると、係合片３１２が係合孔３０６から離脱して反射シート３１０が取り外される。
このようにして反射シート３１０は、ＬＥＤ取付枠３０３に対して着脱自在に構成されている。
【００２８】
ここで、反射シート３１０の表面の印刷パターンを複数用意し、ＬＥＤ３０４の輝度に応じた印刷パターンの反射シート３１０を選択してＬＥＤ取付枠３０３へ取り付けることにより、他のＬＥＤ取付枠３０３に取り付けられたＬＥＤ３０４との輝度の差異を小さくすることが可能となる。具体的には、ＬＥＤ３０４の発光輝度が小さくなるにつれて、反射率の高い印刷パターンの反射シート３１０を選択することにより、輝度の調整を行うようにしている。
なお、ＬＥＤ３０４の輝度の測定は、一度ＬＥＤ３０４を基板へ実装すると取り外しが困難なことから、従来行われていたような実装前の発光テストなどを行って選別するなどはせず、ＬＥＤ３０４をＬＥＤ取付枠３０３に取り付けた後、所定の測定器を用いることにより行われる。
【００２９】
拡散シート３２０は、シート本体部３２１と係合片３２２とを構成している。シート本体部３２１は、ＬＥＤ取付枠３０３の底面３０５と略同じ大きさの正六角形状により形成されている。係合片３２２は、シート本体部３２１の上下端部から、先端へ向けて幅広となる台形状に形成されて下方に折り曲げられ、シート本体部３２１と一体に形成されている。なお、係合片３２２の形状は、台形状に限らず、例えば、先端部分に、先端へ向けて幅狭となるくさび形状などによって形成してもよい。
この拡散シート３２０は、ＰＥＴあるいはポリカーボネート（ＰＣ）などの合成樹脂により成型されており、可撓性を有している。そして、この拡散シート３２０の表面には、シルクスクリーン印刷などによる印刷が施されており、光を拡散させるようにしている。なお、拡散シート３２０への印刷の態様として、シルクスクリーン印刷のほか、感光体を塗布し、ＬＥＤ３０４からの光に応じて拡散材を付着させ、現像処理を行うことにより拡散シートを形成するものなどであってもよい。また、透明の拡散シート３２０を予めＬＥＤ取付枠３０３に取り付け、ＬＥＤ３０４の輝度の測定結果に応じて、取り付けられた拡散シート３２０のシート本体部３２１へ吹付け等により直接印刷を行うようにしてもよい。
シート本体部３２１は、反射シート３１０のシート本体部３１１とは異なり、開口は設けられていない。
【００３０】
以上のように構成された拡散シート３２０をＬＥＤ取付枠３０３に取り付けるときは、拡散シート３２０の係合片３２２の左右両端を押圧して可撓させて係合片３２２を弾性変形し、その状態で、ＬＥＤ取付枠３０３の係合孔３０６へ挿通させる。係合片３２２が係合孔３０６へ挿通されると、係合片３１２の弾性変形が復帰し、係合片３２２が係合孔３０６に対して係合されると、拡散シート３２０は位置決めされる。すると、図７及び図８に示すように、拡散シート３２０のシート本体部３２１は、その裏面がボス３０７の先端に当接するので、ＬＥＤ３０４と所定間隔空けてＬＥＤ３０４の前面側を被覆し、ＬＥＤ取付枠３０３の底面３０５に対向して配置されることとなる。
なお、拡散シート３２０をＬＥＤ取付枠３０３より取り外す場合は、上述した反射シート３１０の取り外しと同様の手法にて取り外すことができる。
このようにして、拡散シート３２０は、ＬＥＤ取付枠３０３に対して着脱自在に構成されている。
【００３１】
ここで、拡散シート３２０の表面の印刷パターンを複数用意し、ＬＥＤ３０４の輝度に応じた印刷パターンの拡散シート３２０を選択してＬＥＤ取付枠３０３へ取り付けることにより、他のＬＥＤ取付枠３０３に取り付けられたＬＥＤ３０４との輝度の差異を小さくすることが可能となる。
【００３２】
また、本実施の形態では、反射シート３１０及び拡散シート３２０を同時にＬＥＤ取付枠３０３に対して取り付けることができる。
反射シート３１０及び拡散シート３２０を同時にＬＥＤ取付枠３０３に対して取り付けるときは、上述のようにして、最初に反射シート３１０を取り付けた後、拡散シート３２０を取り付けることにより行う。このようにして反射シート３１０及び拡散シート３２０をＬＥＤ取付枠３０３に取り付けると、図９及び図１０に示すように、反射シート３１０の上面を覆うようにして拡散シート３２０が取り付けられる。
【００３３】
以上説明したように、本発明の実施形態によれば、ＬＥＤ３０４が配置されたＬＥＤ取付枠３０３に対して、ＬＥＤ３０４の発光部３０４ａよりも後方に配置され、ＬＥＤ３０４からの光を前方へ反射させるための反射シート３１０と、ＬＥＤ３０４の発光部３０４ａよりも前方に配置され、後方から照射される光を拡散させる拡散シート３２０と、が取り付けられている。その結果、他のＬＥＤ３０４よりも輝度の差異が大きいＬＥＤ３０４を使用しても、反射シート３１０により、拡散シート３２０へ照射する光の輝度を向上させることができ、他のＬＥＤ取付枠３０３に取り付けられたＬＥＤ３０４との発光輝度の差異を小さくして輝度むらを抑制することができるとともに、拡散シート３２０により、液晶表示パネル１００全体へ照射する光の輝度を従来よりもさらに高め、液晶表示パネル１００における視認性を向上させることができる。すなわち、ＬＥＤ３０４間で色度あるいは輝度の差異が大きくても色度ムラあるいは輝度ムラを抑制でき、液晶表示パネル１００全体へ照射する光の輝度を従来よりも高めることが可能となる。
また、本発明の実施形態によれば、ＬＥＤ３０４の不良により交換が必要となった場合でも、交換後のＬＥＤ３０４の輝度に応じたパターンの反射シート３１０及び／又は拡散シート３２０を選択して取り付けることも可能となる。
【００３４】
また、本発明の実施形態によれば、反射シート３１０及び拡散シート３２０がＬＥＤ取付枠３０３に対して着脱自在に構成されているので、輝度調整の変更などを自在に行うことができ、製造効率の向上が図れる。
【００３５】
また、本発明の実施形態によれば、反射シート３１０及び拡散シート３２０は、シート上に形成されたシート本体部３１１、３２１と、シート本体部３１１、３２１の端部から後方へ折曲して形成される係合片３１２、３２２と有している。そして、ＬＥＤ取付枠３０３には、係合片３１２、３２２が係合する係合孔３０６が設けられる。そして、係合片３１２、３２２が係合孔３０６に係合されて、反射シート３１０及び拡散シート３２０がＬＥＤ取付枠３０３に取り付けられる。その結果、反射シート３１０及び拡散シート３２０のＬＥＤ取付枠３０３への取り付けが容易となり、製造効率の向上が図れる。
【００３６】
また、本発明の実施形態によれば、ＬＥＤ取付枠３０３にＬＥＤ３０４の発光部３０４ａよりも所定の長さ前方へ突出するボス３０７が設けられる。そして、拡散シート３２０は、ＬＥＤ取付枠３０３に取り付けられたときに、シート本体部３２１の背面がボス３０７に当接して、ＬＥＤ３０４の発光部３０４ａとシート本体部３２１とが所定間隔空く。その結果、拡散シート３２０がＬＥＤ３０４の発光部３０４ａと所定の距離を置くことができるので、拡散シート３２０は、ＬＥＤ３０４の発光部３０４ａからの光源を広い面積で受けることができ、輝度むらの発生を抑制することができる。
【００３７】
また、本発明の実施形態によれば、ＬＥＤ取付枠３０３が正六角形状により形成され、ハニカム状に整列配置されているので、隣接して設けられるＬＥＤ３０４からの光が拡散シート３２０や全面拡散シート２００等へ重なって照射されることが減少でき、輝度むらの発生を抑制することができる。
【００３８】
なお、本実施の形態では、反射シート３１０あるいは拡散シート３２０の取付構造について、シートの係合片３１２、３２２をＬＥＤ取付枠３０３の係合孔３０６へ差し込んで取り付けるようにしたが、接着剤や両面テープによりＬＥＤ取付枠３０３の底面３０５へ貼着するようにしてもよい。
【００３９】
また、本実施の形態では、反射シート３１０あるいは拡散シート３２０を、ＬＥＤ取付枠３０３に対して着脱自在としたが、かしめ構造にするなど、一度取り付けると取り外し不能あるいは困難な構成としてもよい。
【００４０】
また、本実施の形態では、ＬＥＤ取付枠３０３の底面３０５よりボス３０７を立設するようにしたが、ボス３０７を立設せず、拡散シート３２０自体にスペーサ機能を有するものとしてもよい。例えば、拡散シート３２０の係合片３２２の両端部に切り欠きを設け、この切り欠きがＬＥＤ取付枠３０３の係合孔３０６の入口両端に係合することによって、ＬＥＤ３０４と拡散シート３２０のシート本体部３２１との間に所定間隔のスペースを創出するような形態でもよい。
その他、ＬＥＤ３０４と拡散シート３２０のシート本体部３２１との間で所定間隔のスペースを創出できる構造であれば、何れの方法でも適用が可能である。この場合、ＬＥＤ３０４からの光の照射に影響を与えないものが好適である。
【００４１】
また、本実施の形態では、ＬＥＤ取付枠３０３の形状を正六角形状としたが、方形状や円形状など他の形状であってもよい。
【００４２】
また、本実施の形態では、反射シート３１０及び拡散シート３２０の形状を１つのＬＥＤ取付枠３０３の形状に合わせるようにしているが、例えば、上記反射シート３１０又は拡散シート３２０を２つ以上一体に形成して複数のＬＥＤ取付枠３０３に亘って取り付け可能にし、同一輝度のＬＥＤ３０４が連続して配置された場合などのときに、適用できるようにしてもよい。
【００４３】
また、本実施の形態では、白色発光するＬＥＤ３０４を使用したが、ＲＧＢそれぞれ独立して発光制御可能なフルカラーＬＥＤを使用してもよい。
【符号の説明】
【００４４】
１  液晶表示装置
１００  液晶表示パネル
２００  全面拡散シート
３００  ＬＥＤパネル（バックライト装置）
３０１  基板取付ベース
３０２  ＬＥＤ取付基板
３０３  ＬＥＤ取付枠（配置領域）
３０４  ＬＥＤ（発光ダイオード）
３０４ａ  発光部
３０５  底面部
３０６  係合孔
３０７  ボス
３１０  反射シート（反射部材）
３１１  シート本体部（本体部）
３１２  係合片（係合部）
３２０  拡散シート（拡散部材）
３２１  シート本体部（本体部）
３２２  係合片（係合部）
【図１】
2011023209.tif 000003
【図２】
2011023209.tif 000004
【図３】
2011023209.tif 000005
【図４】
2011023209.tif 000006
【図５】
2011023209.tif 000007
【図６】
2011023209.tif 000008
【図７】
2011023209.tif 000009
【図８】
2011023209.tif 000010
【図９】
2011023209.tif 000011
【図１０】
2011023209.tif 000012